(57)【要約】【課題】音声出力についての操作性を向上させ得る音響装置を提供する。【解決手段】スピーカ３６と、ヘッドホンジャック３７と、音声信号Ｓｓの出力を制御する音声出力制御部３２と、ヘッドホン４のプラグ４ａおよびヘッドホンジャック３７が非接続状態のときに音声信号Ｓｓの出力先をスピーカ３６に切り替えると共にプラグ４ａおよびヘッドホンジャック３７が接続状態のときに音声信号Ｓｓの出力先をヘッドホンジャック３７に切り替える切替部３５とを備え、音声出力制御部３２は、プラグ４ａおよびヘッドホンジャック３７が非接続状態であってかつ音声信号Ｓｓの音量レベルを第１音量レベル以下に制御している状態または音声信号Ｓｓの出力を停止している状態においてプラグ４ａおよびヘッドホンジャック３７が接続状態となったときに第１音量レベルよりも大きい第２音量レベルで音声信号Ｓｓを出力する。【選択図】図１
2008022325.tif 000002
【特許請求の範囲】
【請求項１】
スピーカと、ヘッドホンおよびイヤホンの少なくとも一方の接続端子を接続可能な被接続端子と、音声信号の出力を制御する制御部と、前記接続端子および前記被接続端子の両端子が非接続状態のときに前記音声信号の出力先を前記スピーカに切り替えると共に当該両端子が接続状態のときに当該音声信号の出力先を当該被接続端子に切り替える切替部とを備えた音響装置であって、
前記制御部は、前記両端子が非接続状態であってかつ前記音声信号の音量レベルを第１音量レベル以下に制御している状態または当該音声信号の出力を停止している状態において当該両端子が接続状態となったときに当該第１音量レベルよりも大きい第２音量レベルで当該音声信号を出力する第１制御処理を実行する音響装置。
【請求項２】
前記制御部は、前記第１制御処理の実行後において前記両端子が非接続状態となったときに、前記第２音量レベルよりも小さい第３音量レベルでの前記音声信号の出力および当該音声信号の出力停止のいずれか一方を行う第２制御処理を実行する請求項１記載の音響装置。
【請求項３】
前記制御部は、前記第２制御処理の実行後において、当該第２制御処理を実行した旨を示す画像を表示部に表示させる請求項２記載の音響装置。
【請求項４】
前記制御部は、第１制御処理の実行開始時点から所定時間が経過する以前に前記両端子が非接続状態となったときに前記第２制御処理を実行し、前記所定時間が経過した後に前記両端子が非接続状態となったときに前記第１音量レベルよりも大きい第４音量レベルで前記音声信号を出力する第３制御処理を実行する請求項２または３記載の音響装置。
【請求項５】
前記制御部は、前記第２制御処理を実行する旨を予告する画像を前記第１制御処理の実行時に表示部に表示させる請求項２から４のいずれかに記載の音響装置。
【請求項６】
請求項１から５のいずれかに記載の音響装置と、放送信号を受信する受信部とを備え、
前記制御部は、前記受信部によって受信された前記放送信号に基づく前記音声信号の出力を制御するテレビ。
【請求項７】
ヘッドホンおよびイヤホンの少なくとも一方の接続端子および当該接続端子に接続可能な被接続端子の両端子が非接続状態のときに音声信号の出力先をスピーカに切り替えると共に当該両端子が接続状態のときに前記音声信号の出力先を前記被接続端子に切り替えて当該音声信号の出力を制御する音声出力制御方法であって、
前記両端子が非接続状態であってかつ前記音声信号の音量レベルを第１音量レベル以下に制御している状態または当該音声信号の出力を停止している状態において当該両端子が接続状態となったときに当該第１音量レベルよりも大きい第２音量レベルで当該音声信号を出力する音声出力制御方法。
【発明の詳細な説明】
【技術分野】
【０００１】
本発明は、スピーカと、ヘッドホンやイヤホンの接続端子を接続可能な被接続端子とを備えて、両端子の接続状態に応じてスピーカおよび被接続端子に音声信号を切り替えて出力する音響装置およびテレビ、並びにその音声信号の出力を制御する音声出力制御方法に関するものである。
【背景技術】
【０００２】
例えば、テレビ番組の視聴中に電話が着信して、その電話に応対する際には、ミュートキーを操作して音声出力を停止させたり、音量スイッチを操作して音量を低下させることがしばしば行われる。この場合、電話に応対している人とは異なる人がヘッドホンを用いて音声を聞こうとしたときには、ヘッドホンのプラグをヘッドホンジャックに接続した後に消音スイッチを再度操作して音声出力の停止を解除させたり、音量を上昇させたりする必要があって煩雑である。このような不都合を解決可能な手段として、特開平８−６５０７０号公報に開示されたＴＶ受像機が知られている。このＴＶ受像機は、スピーカ用およびヘッドホン用の２つの音声調節出力回路を備えて構成されている。このＴＶ受像機では、２つの音声調節出力回路を備えたことにより、スピーカから出力させる音声の音量と、ヘッドホンから出力させる音声の音量とを個別に調節することが可能で、かつスピーカおよびヘッドホンの双方から音声を同時に出力させることが可能となっている。このため、予めヘッドホン用の音量を設定しておくことで、上記のような使用形態においても、ヘッドホンのプラグをヘッドホンジャックに接続するだけで予め設定したヘッドホン用の音量で音声を聞くことが可能となっている。
【特許文献１】特開平８−６５０７０号公報（第３頁、第１図）
【発明の開示】
【発明が解決しようとする課題】
【０００３】
ところが、従来のＴＶ受像機には、以下の問題点がある。すなわち、このＴＶ受像機では、上記のような使用形態においては有効なものの、スピーカおよびヘッドホンの双方から音声を同時に出力させているため、例えば、深夜番組を視聴する際に周囲への迷惑を避けるためにヘッドホンを用いるときには、ヘッドホンのプラグをヘッドホンジャックに接続しただけではスピーカからの音声の出力を停止することができないため、スピーカ用の音量を調整する（下げる）必要があるのは勿論のこと、ときとしてヘッドホン用の音量を調整する必要もある。したがって、このＴＶ受像機には、使用状況に応じて２種類の音量を調整する必要があるため、操作が煩雑であるという問題点が依然として存在する。
【０００４】
本発明は、かかる問題点に鑑みてなされたものであり、音声出力についての操作性を向上させ得る音響装置、テレビおよび音声出力制御方法を提供することを主目的とする。
【課題を解決するための手段】
【０００５】
上記目的を達成すべく本発明に係る音響装置は、スピーカと、ヘッドホンおよびイヤホンの少なくとも一方の接続端子を接続可能な被接続端子と、音声信号の出力を制御する制御部と、前記接続端子および前記被接続端子の両端子が非接続状態のときに前記音声信号の出力先を前記スピーカに切り替えると共に当該両端子が接続状態のときに当該音声信号の出力先を当該被接続端子に切り替える切替部とを備えた音響装置であって、前記制御部は、前記両端子が非接続状態であってかつ前記音声信号の音量レベルを第１音量レベル以下に制御している状態または当該音声信号の出力を停止している状態において当該両端子が接続状態となったときに当該第１音量レベルよりも大きい第２音量レベルで当該音声信号を出力する第１制御処理を実行する。
【０００６】
また、本発明に係る音声出力制御方法は、ヘッドホンおよびイヤホンの少なくとも一方の接続端子および当該接続端子に接続可能な被接続端子の両端子が非接続状態のときに音声信号の出力先をスピーカに切り替えると共に当該両端子が接続状態のときに前記音声信号の出力先を前記被接続端子に切り替えて当該音声信号の出力を制御する音声出力制御方法であって、前記両端子が非接続状態であってかつ前記音声信号の音量レベルを第１音量レベル以下に制御している状態または当該音声信号の出力を停止している状態において当該両端子が接続状態となったときに当該第１音量レベルよりも大きい第２音量レベルで当該音声信号を出力する。
【０００７】
この音響装置および音声出力制御方法によれば、接続端子および被接続端子の両端子が非接続状態であってかつ音声信号の音量レベルを第１音量レベル以下に制御している状態または音声信号の出力を停止している状態において両端子が接続状態となったときに第１音量レベルよりも大きい第２音量レベルで音声信号を出力することにより、接続端子と被接続端子とを接続することで、スピーカからの音声出力の停止状態を維持したままの状態で、第１音量レベルよりも大きい第２音量レベルの音声信号を被接続端子に出力させることができる。このため、スピーカからの音声出力を停止させたりヘッドホンまたはイヤホンからの十分な音量の音声を出力させたりするために、リモコンのミュートキーや音量キーの操作が必要な構成と比較して、これらの操作が不要な分、音声出力についての操作性を十分に向上させることができる。
【０００８】
また、本発明に係る音響装置は、上記の音響装置において、前記制御部は、前記第１制御処理の実行後において前記両端子が非接続状態となったときに、前記第２音量レベルよりも小さい第３音量レベルでの前記音声信号の出力および当該音声信号の出力停止のいずれか一方を行う第２制御処理を実行する。
【０００９】
この音響装置によれば、制御部が、第１制御処理の実行後において接続端子と被接続端子とが非接続状態となったときに、第２制御処理を実行することにより、例えば、音量レベルを大きく設定した状態で接続端子と被接続端子とを非接続状態としたとしても、両端子を接続する直前に設定していた音声出力の停止状態や小さい音量レベルでの音声出力状態に自動的に戻すことができる。
【００１０】
また、本発明に係る音響装置は、上記の音響装置において、前記制御部は、前記第２制御処理の実行後において、当該第２制御処理を実行した旨を示す画像を表示部に表示させる。
【００１１】
この音響装置によれば、制御部が、第２制御処理の実行時において、第２制御処理を実行した旨を示す画像を表示部に表示させることにより、音声の出力を停止した旨または音量レベルを低下させた旨を確実に報知することができるため、例えば、スピーカからの音声出力を意図して接続端子と被接続端子とを非接続状態としたにも拘わらず、その意に反してスピーカから音声が出力されなかったり音声が小さいことに起因して、音響装置が故障しているかのような誤解をユーザーに与えるような事態を確実に防止することができる。
【００１２】
さらに、本発明に係る音響装置は、上記の音響装置において、前記制御部は、第１制御処理の実行開始時点から所定時間が経過する以前に前記両端子が非接続状態となったときに前記第２制御処理を実行し、前記所定時間が経過した後に前記両端子が非接続状態となったときに前記第１音量レベルよりも大きい第４音量レベルで前記音声信号を出力する第３制御処理を実行する。
【００１３】
この音響装置によれば、制御部が、第１制御処理の実行開始時点から所定時間が経過した後に接続端子と被接続端子とが非接続状態となったときに第３制御処理を実行することにより、所定時間が経過した後に両端子を非接続状態としたときには、両端子を接続する直前においてミュート状態や小さい音量レベルに設定されていたとしても、両端子を非接続する操作に連動させて、十分な音量の音声をスピーカから自動的に出力させることができる。したがって、リモコンの音量キーやミュートキーの操作を省くことができる分、操作性をさらに向上させることができる。
【００１４】
また、本発明に係る音響装置は、上記の音響装置において、前記制御部は、前記第２制御処理を実行する旨を予告する画像を前記第１制御処理の実行時に表示部に表示させる。
【００１５】
この音響装置によれば、制御部が、第２制御処理を実行する旨を予告する画像を第１制御処理の実行時に表示させることにより、接続端子と被接続端子とを非接続状態としたときに両端子を接続する直前の音声出力状態に自動的に戻ることを予め認識させることができるため、両端子を非接続状態としたときの操作に気遣うことなく、ヘッドホンやイヤホンを用いて十分な音量レベルで音声を聴取することができる。
【００１６】
また、本発明に係るテレビは、上記の音響装置と、放送信号を受信する受信部とを備え、前記制御部は、前記受信部によって受信された前記放送信号に基づく前記音声信号の出力を制御する。
【００１７】
このテレビによれば、上記の音響装置を備えたことにより、上記の音響装置が有する効果と同様の効果を実現することができる。
【発明を実施するための最良の形態】
【００１８】
以下、本発明に係る音響装置、テレビおよび音声出力制御方法の最良の形態について、添付図面を参照して説明する。図１に示すプロジェクションテレビ１（以下、単に「テレビ１」ともいう）は、本発明に係るテレビの一例であって、本体部２およびリモコン３を備えて構成されている。本体部２は、チューナ１１、映像音声処理部１２、表示装置１３、音響装置１４、受光部１５、キー入力処理部１６および主制御部１７を備えている。
【００１９】
チューナ１１は、本発明における受信部に相当し、主制御部１７の制御に従い、指定されたチャンネルの放送信号Ｓｂを図外のアンテナで受信した放送波から抽出して映像音声処理部１２に出力する。映像音声処理部１２は、例えば、ＩＦ回路、音声検波回路、映像検波回路およびＡ／Ｄ変換部（いずれも図示せず）などを備えている。この場合、映像音声処理部１２は、チューナ１１から出力された放送信号Ｓｂに基づく映像データＤｐおよび音声データＤｓを表示装置１３および音響装置１４にそれぞれ出力する。
【００２０】
表示装置１３は、図１に示すように、映像出力部２１および表示部２２を備えている。映像出力部２１は、主制御部１７の制御に従い、映像音声処理部１２から出力された映像データＤｐに基づき、例えば、図２に示すテレビ映像Ｐｔを表示するための表示用信号Ｓｅを生成して表示部２２に出力する。また、映像出力部２１は、音響装置１４の音声出力制御部３２からの制御信号に従い、メッセージ画像Ｍ１（本発明における第２制御処理を実行する旨を予告する画像：図６参照）、およびメッセージ画像Ｍ２（本発明における第２制御処理を実行した旨を示す画像：図７参照）を表示するための表示用信号Ｓｅを生成して表示部２２に出力する。表示部２２は、光学エンジンおよびスクリーンパネル（いずれも図示せず）を備えている。この場合、光学エンジンは、光源、液晶ライトバルブおよび投射レンズなどで構成されて、表示用信号Ｓｅに基づいて変調した投射光を投射する。また、スクリーンパネルは、光学エンジンから投射された投射光を受光して映像（画像）を表示する。
【００２１】
音響装置１４は、図１に示すように、音声出力部３１、音声出力制御部３２、メモリ３３、検出部３４、切替部３５、スピーカ３６およびヘッドホンジャック３７を備えている。音声出力部３１は、映像音声処理部１２から出力された音声データＤｓに基づいて音声信号Ｓｓを生成して音声出力制御部３２に出力する。音声出力制御部３２は、主制御部１７と共に本発明における制御部を構成し、音声信号Ｓｓの音量レベル（信号レベル）の設定や、ミュート状態の設定および解除等の音声信号Ｓｓの出力についての制御を行う。また、音声出力制御部３２は、検出部３４から出力される検出信号Ｓｄの出力および出力停止に応じて、後述する制御処理５０（本発明における第１制御処理）、制御処理６０（本発明における第２制御処理）および制御処理７０（本発明における第３制御処理）を実行する。
【００２２】
メモリ３３は、音声出力制御部３２によって実行される制御処理５０において用いられる音量レベルデータＤｖ１，Ｄｖ２を記憶する。この場合、音量レベルデータＤｖ１は、図２に示すように、ヘッドホン４のプラグ４ａがヘッドホンジャック３７に差し込まれて両者が接続状態となったときに、ヘッドホンジャック３７に出力される音声信号Ｓｓの音量レベル、つまりヘッドホン４から出力される音声の音量を上昇させるか否かを判別する際の基準とする音量レベル（本発明における第１音量レベル：以下、この音量を「音量レベルＬ１」ともいう）を示し、音量レベルデータＤｖ２は、上昇させるときの予め設定された音量レベル（以下、この音量を「音量レベルＬ２」ともいう）を示している。
【００２３】
また、メモリ３３は、音声出力制御部３２によって最後に設定された音量レベル（以下、この音量を「音量レベルＬ３」ともいう）を示す音量レベルデータＤｖ３を記憶する。さらに、メモリ３３は、テレビ１がミュート状態に設定された直前の時点において設定されていた音量レベル（以下、この音量を「音量レベルＬ４」ともいう）を示す音量レベルデータＤｖ４を記憶する。また、メモリ３３は、ヘッドホン４のプラグ４ａがヘッドホンジャック３７に挿入されたときに、その直前の時点においてテレビ１（音響装置１４）がミュート状態（消音状態）に設定されていたか否かを示すデータ、およびその時点において設定されていた音量レベル（以下、この音量を「音量レベルＬ５」ともいう）を示すデータを含む音声出力状態データＤｍを記憶する。
【００２４】
検出部３４は、例えば、図２に示すヘッドホン４のプラグ４ａがヘッドホンジャック３７に挿入されたとき（接続状態のとき）に検出信号Ｓｄを音声出力制御部３２および切替部３５に出力し、プラグ４ａがヘッドホンジャック３７から抜き取られているとき（非接続状態のとき）に検出信号Ｓｄの出力を停止する。切替部３５は、検出部３４からの検出信号Ｓｄの出力の有無に応じて、音声信号Ｓｓの出力先をスピーカ３６およびヘッドホンジャック３７のいずれか一方に設定する。具体的には、切替部３５は、検出信号Ｓｄの出力が停止しているときには音声信号Ｓｓの出力先をスピーカ３６に設定し、検出信号Ｓｄが出力されているときには音声信号Ｓｓの出力先をスピーカ３６からヘッドホンジャック３７に切り替える。スピーカ３６は、音声信号Ｓｓに基づく音声を出力する。ヘッドホンジャック３７は、本発明における被接続端子に相当し、図２に示すように、テレビ１の正面パネルに取り付けられている。この場合、ヘッドホンジャック３７は、例えば、同図に示すヘッドホン４のプラグ４ａが挿入（接続）されている状態において、プラグ４ａと切替部３５との間を接続する。
【００２５】
受光部１５は、リモコン３から出力される赤外線信号Ｓｉを受光して操作信号Ｓｏを出力する。キー入力処理部１６は、受光部１５から出力された操作信号Ｓｏに対応する制御信号Ｓｃを主制御部１７に出力する。主制御部１７は、キー入力処理部１６から出力された制御信号Ｓｃに従い、チューナ１１、映像音声処理部１２、表示装置１３および音響装置１４を制御する。
【００２６】
リモコン３は、図２に示すように、本体部２とは別体に形成されている。また、リモコン３は、電源スイッチ４１、チャンネルキー４２，４２・・、音量キー４３，４３およびミュートキー４４などの各種のスイッチやキーが配列されて構成され、これらのスイッチやキーが操作されたときに赤外線信号Ｓｉを出力する。
【００２７】
次に、テレビ１の全体的な動作について、図面を参照して説明する。なお、初期状態では、上記した音量レベルＬ１が例えば「５」に設定され、音量レベルＬ２が例えば「１５」に設定され、メモリ３３には、各音量レベルＬ１，Ｌ２をそれぞれ示す音量レベルデータＤｖ１，Ｄｖ２が記憶されているものとする。また、直前の電源切断時に音量レベルＬ３が例えば「１８」に設定され、メモリ３３には、音量レベルＬ３を示す音量レベルデータＤｖ３が記憶されているものとする。
【００２８】
このテレビ１では、リモコン３の電源スイッチ４１が操作された際に、リモコン３が電源スイッチ４１に対応する赤外線信号Ｓｉを出力し、受光部１５が赤外線信号Ｓｉを受光して操作信号Ｓｏを出力する。次いで、キー入力処理部１６がその操作信号Ｓｏに対応する制御信号Ｓｃを主制御部１７に出力する。これに応じて、主制御部１７が、チューナ１１を制御して、直前の電源切断時に選局されていたチャンネル（例えばチャンネルＣＨ３）の放送信号Ｓｂを抽出させる。次いで、チューナ１１が、チャンネルＣＨ３の放送信号Ｓｂを映像音声処理部１２に出力する。続いて、映像音声処理部１２が、放送信号Ｓｂに基づく映像データＤｐおよび音声データＤｓを表示装置１３の映像出力部２１および音響装置１４の音声出力部３１にそれぞれ出力する。
【００２９】
次に、映像出力部２１が、映像データＤｐに基づく表示用信号Ｓｅを生成して表示部２２に出力する。この際に、表示部２２の光学エンジンが、表示用信号Ｓｅに基づいて変調した投射光をスクリーンパネルに投射する。これにより、図２に示すように、チャンネルＣＨ３のテレビ映像Ｐｔが表示部２２に表示される。また、音声出力部３１が、音声データＤｓに基づく音声信号Ｓｓを生成して音声出力制御部３２に出力する。次いで、音声出力制御部３２が、主制御部１７の制御に従い、直前の電源切断時に設定されていた音量レベルＬ３（この例では、「１８」の音量）を示す音量レベルデータＤｖ３をメモリ３３から読み出して、音声信号Ｓｓをその音量レベルＬ３に設定（増幅）して切替部３５に出力する。この場合、この時点においてヘッドホン４のプラグ４ａがヘッドホンジャック３７に接続されていないときには、検出部３４が、検出信号Ｓｄの出力を停止している。このため、切替部３５は、音声信号Ｓｓの出力先をスピーカ３６に設定する。これにより、音声信号Ｓｓがスピーカ３６に出力されて、音声信号Ｓｓに基づく音声がスピーカ３６から出力される。
【００３０】
ここで、例えば、テレビ１の視聴中に着信した電話に応対するために、テレビ１をミュート状態に設定する（音声信号Ｓｓの出力を停止させる）際には、リモコン３のミュートキー４４を操作する。この際に、キー入力処理部１６がミュートキー４４に対応する制御信号Ｓｃを主制御部１７に出力し、主制御部１７が制御信号Ｓｃに従って音声出力制御部３２を制御することにより、音声出力制御部３２に音声信号Ｓｓの出力を停止させる。これにより、テレビ１がミュート状態に設定されて、スピーカ３６からの音声の出力が停止される。次いで、音声出力制御部３２は、テレビ１がミュート状態に設定される直前の時点において設定されていた音量レベルＬ４が「１８」である旨を示す音量レベルデータＤｖ４を生成してメモリ３３に記憶させる。
【００３１】
一方、テレビ１をミュート状態に設定している状態において、例えば、電話応対しているユーザとは異なるユーザが、ヘッドホン４を用いてテレビ１を視聴（音声を聴取）する際には、図２に示すように、テレビ１の正面パネルに取り付けられたヘッドホンジャック３７にヘッドホン４のプラグ４ａを挿入する。この際に、検出部３４がプラグ４ａの挿入を検出して音声出力制御部３２および切替部３５に検出信号Ｓｄを出力する。これに応じて、音声出力制御部３２が、図３に示す制御処理５０を実行する。この制御処理５０では、音声出力制御部３２は、プラグ４ａがヘッドホンジャック３７に挿入された直前の時点においてテレビ１がミュート状態に設定されていた旨を示すデータ、およびプラグ４ａの挿入直前の音量レベルＬ５が「１８」である旨を示すデータを含む音声出力状態データＤｍを生成してメモリ３３に記憶させる（ステップ５１）。
【００３２】
次いで、音声出力制御部３２は、メモリ３３に記憶されている音量レベルデータＤｖ１，Ｄｖ３に基づいて音量レベルＬ１（基準とする音量レベル）および音量レベルＬ３（現在設定されている音量レベル）をそれぞれ特定して、音量レベルＬ３が音量レベルＬ１以下であるか否かを判別する（ステップ５２）。この場合、この例では、音量レベルＬ３が「１８」で、音量レベルＬ１が「５」のため、音声出力制御部３２は、音量レベルＬ３が音量レベルＬ１以下ではないと判別して、続いて、メモリ３３に記憶されている音声出力状態データＤｍに基づき、ヘッドホンジャック３７に対するプラグ４ａの挿入直前の時点においてテレビ１がミュート状態に設定されていたか否かを判別する（ステップ５４）。この場合、プラグ４ａの挿入直前の時点においてテレビ１がミュート状態に設定されていたため、音声出力制御部３２は、ミュート状態を解除する（ステップ５５）。
【００３３】
一方、切替部３５は、検出部３４から出力された検出信号Ｓｄに応じて、音声信号Ｓｓの出力先をスピーカ３６からヘッドホンジャック３７に切り替える。これにより、ヘッドホンジャック３７を介してプラグ４ａに音声信号Ｓｓが出力されて、音声信号Ｓｓに基づく音声がヘッドホン４から出力される。この場合、このテレビ１では、ヘッドホンジャック３７にプラグ４ａを挿入することで、スピーカ３６からの音声出力の停止状態が維持されたまま、音量レベルＬ１よりも大きい音量レベルＬ３（本発明における第２音量レベル：この例では、「１８」の音量レベル）の音声信号Ｓｓがヘッドホンジャック３７に出力される。このため、ミュート状態を解除するためにミュートキー４４の操作が必要な構成と比較して、操作性が十分に向上されている。
【００３４】
次いで、音声出力制御部３２は、ミュート状態を解除した旨、およびプラグ４ａを抜き取ったときにテレビ１が再びミュート状態に設定される旨を示すメッセージ画像Ｍ１を表示させる制御信号を主制御部１７を介して映像音声処理部１２に出力する。これに応じて、表示装置１３の映像出力部２１がメッセージ画像Ｍ１を表示させるための表示用信号Ｓｅを生成して表示部２２に出力する。これにより、図６に示すように、メッセージ画像Ｍ１がテレビ映像Ｐｔに重ね合わせて表示部２２に表示される（ステップ５６）。この場合、メッセージ画像Ｍ１が表示されることで、ヘッドホンジャック３７にプラグ４ａを挿入した時点でミュート状態が解除された旨、およびプラグ４ａを抜き取ることでテレビ１が再びミュート状態に設定される旨がユーザーに対して確実に報知される。
【００３５】
ここで、上記した電話応対の際に、ミュートキー４４の操作に設定に代えてリモコン３の音量キー４３を操作して、音量を低下させた（音量レベルを例えば「３」に設定した）ときには、音量レベルＬ３が「３」である旨を示す音量レベルデータＤｖ３を生成してメモリ３３に記憶させる。この状態においてヘッドホンジャック３７にヘッドホン４のプラグ４ａを挿入したときには、音声出力制御部３２は、制御処理５０において、テレビ１がミュート状態に設定されていなかった旨を示すデータ、およびプラグ４ａの挿入直前の音量レベルＬ５が「３」である旨を示すデータを含む音声出力状態データＤｍをメモリ３３に記憶させる（ステップ５１）。
【００３６】
次いで、音声出力制御部３２は、音量レベルＬ３（「３」）が音量レベルＬ１（「５」）以下であると判別して（ステップ５２）、続いて、メモリ３３に記憶されている音量レベルデータＤｖ２に基づいて上昇させるときの予め設定されている音量レベルＬ２（この例では、「１５」の音量レベル）を特定して、音声信号Ｓｓの音量レベルを音量レベルＬ２に設定（変更）すると共に（ステップ５３）、音量レベルＬ３が「１５」である旨を示す音量レベルデータＤｖ３を生成してメモリ３３に記憶させる。次いで、音声出力制御部３２は、音声出力状態データＤｍに基づき、ヘッドホンジャック３７に対するプラグ４ａの挿入直前の時点においてテレビ１がミュート状態に設定されていたか否かを判別する（ステップ５４）。この場合、プラグ４ａの挿入直前の時点においてテレビ１がミュート状態に設定されていなかったため、音声出力制御部３２は、ステップ５５を（ミュート状態の解除）実行することなく後述するようにステップ５６を実行する。
【００３７】
この際に、ヘッドホンジャック３７を介してプラグ４ａに音声信号Ｓｓが出力されて、音声信号Ｓｓに基づく音声がヘッドホン４から出力される。この場合においても、ヘッドホンジャック３７にプラグ４ａを挿入することで、スピーカ３６からの音声出力が停止されると共に、音量レベルＬ１よりも大きい音量レベルＬ２（本発明における第２音量レベル：この例では、「１５」の音量レベル）の音声信号Ｓｓがヘッドホンジャック３７に出力される。このため、このテレビ１では、ヘッドホン４からの音声の音量を上昇させるために音量キー４３の操作が必要な構成と比較して、操作性が十分に向上されている。続いて、音声出力制御部３２は、制御信号を出力することにより、音量レベルを上昇させた旨、およびプラグ４ａを抜き取ったときに音量レベルがプラグ４ａを挿入する直前の音量レベルＬ５（この例では、「３」の音量レベル）に低下される旨を示すメッセージ画像Ｍ１（図示せず）を表示させる（ステップ５６）。この場合、メッセージ画像Ｍ１が表示されることで、ヘッドホンジャック３７にプラグ４ａを挿入した時点で音量レベルが上昇された旨、およびプラグ４ａを抜き取ることで音量がプラグ４ａを挿入する直前の音量に低下される旨がユーザーに対して確実に報知される。
【００３８】
次に、例えば、電話応対が終了する以前にヘッドホン４のプラグ４ａをヘッドホンジャック３７から抜き取ったときには、検出部３４が検出信号Ｓｄの出力を停止する。これに応じて、切替部３５は、音声信号Ｓｓの出力先をヘッドホンジャック３７からスピーカ３６に切り替える。また、音声出力制御部３２は、検出信号Ｓｄの出力停止に応じて、図４に示す制御処理６０を実行する。この制御処理６０では、音声出力制御部３２は、メモリ３３に記憶されている音声出力状態データＤｍを読み出す（ステップ６１）。次いで、音声出力制御部３２は、プラグ４ａがヘッドホンジャック３７に挿入された時点からプラグ４ａが抜き取られた時点までの時間ｔが所定時間（例えば、３０分）以内であるか否かを判別する（ステップ６２）。この場合、時間ｔが所定時間以内のときには、音声出力制御部３２は、プラグ４ａがヘッドホンジャック３７に挿入された直前の時点においてテレビ１がミュート状態に設定されていたか否かを音声出力状態データＤｍに基づいて判別する（ステップ６３）。
【００３９】
この際に、プラグ４ａの挿入直前の時点においてテレビ１がミュート状態に設定されていたときには、音声出力制御部３２は、テレビ１をミュート状態に設定する。また、音声出力制御部３２は、制御信号を出力することにより、図７に示すように、テレビ１をミュート状態に設定した旨を示すメッセージ画像Ｍ２を表示させる（ステップ６４）。これにより、時間ｔが所定時間以内のときには、プラグ４ａをヘッドホンジャック３７から抜き取ったとしても、スピーカ３６からの音声出力の停止状態が維持される。このため、上記のように電話応対が終了しておらず、プラグ４ａの挿入以前に設定していたミュート状態を維持したいような場合において、ミュートキー４４を再度操作するような無駄な操作を不要とすることが可能となっている。また、メッセージ画像Ｍ２が表示されることで、ユーザーに対してテレビ１がミュート状態に設定された旨が確実に報知される。
【００４０】
ここで、プラグ４ａがヘッドホンジャック３７に挿入された直前の時点においてテレビ１がミュート状態に設定されていなかったときには、音声出力制御部３２は、制御処理６０において、音声出力状態データＤｍに基づいてその旨を判別する（ステップ６３）。次いで、音声出力制御部３２は、音声信号Ｓｓの音量レベルを音声出力状態データＤｍに基づいて特定した音量レベルＬ５（この例では、「３」の音量レベル）、つまりヘッドホンジャック３７に出力していた音声信号Ｓｓの音量レベル（本発明における第２音量レベル）よりも小さい音量レベル（本発明における第３音量レベル）に設定する。また、音声出力制御部３２は、制御信号を出力することにより、音量レベルを低下させた旨を示すメッセージ画像Ｍ２（図示せず）を表示させる（ステップ６５）。このため、上記のように電話応対が終了しておらず、プラグ４ａの挿入前に設定していた小さい音量レベルの状態を維持したいような場合において、音量キー４３を操作して音量レベルを低下させるような無駄な操作を不要とすることが可能となっている。また、メッセージ画像Ｍ２が表示されることで、ユーザーに対して音量レベルが低下された旨が確実に報知される。
【００４１】
一方、例えば、電話応対が終了して、上記した時間ｔが所定時間を超えた以後にプラグ４ａをヘッドホンジャック３７から抜き取ったときには、音声出力制御部３２は、制御処理６０において、時間ｔが所定時間以内ではないと判別して（ステップ６２）、制御処理７０（図５参照）を実行する（ステップ６６）。この制御処理７０では、音声出力制御部３２は、プラグ４ａをヘッドホンジャック３７に挿入する直前の時点においてテレビ１がミュート状態に設定されていたかを判別する（ステップ７１）。この際に、テレビ１がミュート状態に設定されていたときには、音声出力制御部３２は、ミュート状態に設定された時点の直前の時点における音量レベルＬ４（この例では、「１８」の音量レベル）を音量レベルデータＤｖ４に基づいて特定して、音声信号Ｓｓの音量レベルをその音量レベルＬ４（本発明における第４音量レベルの一例）に設定する（ステップ７２）。また、プラグ４ａを挿入する直前の時点においてテレビ１がミュート状態に設定されていなかったときには、音声出力制御部３２は、音声信号Ｓｓの音量レベルをプラグ４ａを抜き取る直前の時点において設定されていた音量レベル、つまり音量レベルＬ３（この例では、「１５」であって、本発明における第４音量レベルの他の一例）に維持する（ステップ７３）。これにより、時間ｔが所定時間を超えているときには、プラグ４ａをヘッドホンジャック３７から抜き取った際に、プラグ４ａをヘッドホンジャック３７に挿入する直前にミュート状態に設定されていたり、小さい音量レベルに設定されていたとしても、プラグ４ａをヘッドホンジャック３７から抜き取るだけで、十分な音量の音声がスピーカ３６から出力される。このため、電話応対が確実に終了するように時間に所定時間を設定することで、音量キー４３の操作を省力させることが可能となる。
【００４２】
このように、このテレビ１によれば、音声出力制御部３２が、ヘッドホン４のプラグ４ａとヘッドホンジャック３７とが非接続状態であってかつ音声信号Ｓｓの音量レベルを音量レベルＬ１以下に制御している状態またはテレビ１をミュート状態に設定している状態においてプラグ４ａとヘッドホンジャック３７とが接続状態となったときに制御処理５０を実行することにより、プラグ４ａをヘッドホンジャック３７に挿入することで、スピーカ３６からの音声出力の停止状態を維持したままの状態で、音量レベルＬ１よりも大きい音量レベルの音声信号Ｓｓをヘッドホンジャック３７に出力させることができる。このため、スピーカ３６からの音声出力を停止させたりヘッドホン４からの十分な音量の音声を出力させたりするために、ミュートキー４４や音量キー４３の操作が必要な構成と比較して、これらの操作が不要な分、音声出力についての操作性を十分に向上させることができる。
【００４３】
また、このテレビ１によれば、音声出力制御部３２が、制御処理５０の実行後においてヘッドホンジャック３７とプラグ４ａとが非接続状態となったときに、ヘッドホンジャック３７に出力していた音量レベルよりも小さい音量レベルでの音声信号Ｓｓの出力および音声信号Ｓｓの出力停止のいずれか一方を行う制御処理６０を実行することにより、例えば、音量レベルを大きく設定した状態でプラグ４ａをヘッドホンジャック３７から抜き取ったとしても、プラグ４ａの挿入前に設定していたミュート状態や小さい音量レベルの状態に自動的に戻すことができる。
【００４４】
また、このテレビ１によれば、音声出力制御部３２が、制御処理６０の実行時において、その実行の旨を示すメッセージ画像Ｍ２を表示させることにより、ミュート状態に設定した旨または音量レベルを低下させた旨を確実に報知することができるため、例えば、スピーカ３６からの音声出力を意図してプラグ４ａを抜き取ったにも拘わらず、その意に反してスピーカ３６から音声が出力されなかったり音声が小さいことに起因して、テレビ１が故障しているかのような誤解をユーザーに与えるような事態を確実に防止することができる。
【００４５】
さらに、このテレビ１によれば、音声出力制御部３２が、プラグ４ａをヘッドホンジャック３７に挿入した時点からプラグ４ａを抜き取る時点までの時間ｔが所定時間以内のときに制御処理６０を実行し、時間ｔが所定時間を経過したときに制御処理７０を実行することにより、時間ｔが所定時間を経過しているときには、プラグ４ａの挿入直前においてミュート状態や小さい音量レベルに設定されていたとしても、プラグ４ａの抜き取りに連動させて、十分な音量の音声をスピーカ３６から自動的に出力させることができる。したがって、音量キー４３やミュートキー４４の操作を省くことができる分、操作性をさらに向上させることができる。
【００４６】
また、このテレビ１によれば、音声出力制御部３２が、制御処理６０を実行する旨を予告するメッセージ画像Ｍ１を制御処理５０の実行時に表示させることにより、プラグ４ａを抜き取ったときにプラグ４ａの挿入直前の音声出力状態に自動的に戻ることを予め認識させることができるため、プラグ４ａを抜き取る際の操作に気遣うことなく、ヘッドホン４を用いて十分な音量レベルで音声を聴取することができる。
【００４７】
なお、本発明は、上記の構成に限定されない。例えば、本発明における第１音量レベルに相当する音量レベルＬ１、および本発明における第２音量レベルに相当する音量レベルＬ２が予め設定されている例について上記したが、これらの音量レベルＬ１，Ｌ２をリモコン３を用いて任意に設定可能な構成を採用することもできる。また、光学エンジンおよびスクリーンパネルを備えて表示部２２を構成した例について上記したが、表示部として、ＣＲＴ、液晶表示パネルおよびプラズマディスプレイ等を採用することもできる。また、ヘッドホン４を用いる例について上記したが、ヘッドホン４に代えて、イヤホンを用いることもできる。また、テレビに限定されず、ステレオやラジオ等の音響装置、ＶＴＲやＤＶＤ再生装置等のＡＶ装置、および音声出力可能なパソコン等の各種装置に本発明を適用することができる。
【図面の簡単な説明】
【００４８】
【図１】テレビ１の構成を示すブロック図である。
【図２】テレビ１およびヘッドホン４の正面図である。
【図３】制御処理５０のフローチャートである。
【図４】制御処理６０のフローチャートである。
【図５】制御処理７０のフローチャートである。
【図６】メッセージ画像Ｍ１の表示画面図である。
【図７】メッセージ画像Ｍ２の表示画面図である。
【符号の説明】
【００４９】
１  テレビ、４  ヘッドホン、４ａ  プラグ、１１  チューナ、１３  表示装置、１４  音響装置、２２  表示部、３２  音声出力制御部、３５  切替部、３６  スピーカ、３７  ヘッドホンジャック、５０，６０，７０  制御処理、Ｍ１，Ｍ２  メッセージ画像、Ｓｂ  放送信号、Ｓｓ  音声信号、ｔ  時間、Ｌ１〜Ｌ５  音量レベル
【図１】
2008022325.tif 000003
【図２】
2008022325.tif 000004
【図３】
2008022325.tif 000005
【図４】
2008022325.tif 000006
【図５】
2008022325.tif 000007
【図６】
2008022325.tif 000008
【図７】
2008022325.tif 000009